(57)【特許請求の範囲】
【請求項１】
複数の光導波管を有する光導波管の組合せにおいて、各光導波管は、
互いに平行し、対向する第１表面と第２表面と、
前記第１表面と平行する導波コアを有するベース層と、
前記光導波管の第１表面に設けられる一対の第１固定部と、
前記光導波管の第２表面に設けられる一対の第２固定部と、
を備え、
前記一対の第１固定部の間の横方向の第１固定寸法と前記一対の第２固定部の間の横方向の第２固定寸法とは、実質的に同一であり、
前記一対の第１固定部が、前記光導波管の前記第１表面の両側から突出寸法で上向きに突出し、前記第２固定部が、前記光導波管の前記第２表面の両側から、前記突出寸法より小さい凹み寸法で凹み、
前記複数の光導波管が重なって、隣接する二つの光導波管のうちの一方の光導波管の前記第１固定部が他方の光導波管の前記第２固定部内に嵌合された場合、互いに対向する前記一方の光導波管の前記第１固定部の表面と前記他方の光導波管の前記第２固定部の表面とは互いに当接すると共に、互いに対向する前記一方の光導波管の前記第１表面と前記他方の光導波管の前記第２表面との間にはギャップが形成され、前記ギャップには外粘着層が設けられることを特徴とする光導波管の組合せ。
【請求項２】
前記第１固定部と第２固定部とは、前記ベース層に一体成形されることを特徴とする請求項１に記載の光導波管の組合せ。
【請求項３】
前記光導波管が固定層と、前記ベース層と前記固定層の間に配置される粘着層と、を有し、前記固定層が、前記粘着層によって、前記ベース層に固着され、前記第１固定部と第２固定部とが、前記固定層に一体成形されることを特徴とする請求項１に記載の光導波管の組合せ。
【発明の詳細な説明】
【技術分野】
【０００１】
本発明は、光導波管の組合せに関し、特に、複数の光導波管が重ねられて形成される光導波管の組合せに関するものである。
【背景技術】
【０００２】
従来技術の光導波管には、基部の金型に設けられる複数の導入柱に対応する複数の導入孔が形成される。複数の導波管は、前記複数の導入柱と複数の導入孔との係合によって、互いに重ねられて多層の光導波管の組合せが形成される。
【先行技術文献】
【特許文献】
【０００３】
【特許文献１】台湾実用新案公開第２０１１００８９１号明細書
【発明の概要】
【発明が解決しようとする課題】
【０００４】
導波管の複数の導入孔を形成するとともに、基部の金型の導入柱を配置する。このような導波管の組合せ成形方法は、複雑になる。
【０００５】
そこで本発明は、上述される従来技術の問題に鑑み、成形方法が簡単な光導波管の組合せを提供することを目的とする。
【課題を解決するための手段】
【０００６】
前記目的を達成するために、本発明の光導波管の組合せは、複数の光導波管を有する。各光導波管は、互いに平行し、対向する第１表面と第２表面と、前記第１表面と平行する導波コアを有するベース層と、前記光導波管の第１表面に設けられる一対の第１固定部と、前記光導波管の第２表面に設けられる第２固定部と、を備える。前記一対の第１固定部の間の横方向の第１固定寸法が、前記第２固定部の横の第２固定寸法に対応することを特徴とする。
【発明の効果】
【０００７】
従来技術と比べると、本発明は以下の長所を有する。本発明の第１固定寸法で設けられる一対の第１固定部と、第２固定寸法で設けられる第２固定部とを配置することは、複数の導入孔と導入柱とを配置することより容易である。
【図面の簡単な説明】
【０００８】
【図１】本発明の光導波材料の組立斜視図である。
【図２】第１実施形態の光導波管の斜視図である。
【図３】図２に示す光導波管の組合せの組立斜視図である。
【図４】第２実施形態の光導波管の斜視図である。
【発明を実施するための形態】
【０００９】
図１〜図３を参照すると、本発明の光導波管の組合せは、複数の光導波管１００が重ねられて形成される。光導波管の組合せは、光射出端と光受け端との間に配置される。第１実施形態において、前記光導波管１００は、導波コア１０１が設けられるベース層１０１と、前記ベース層１０１に粘着される粘着層１０２と、前記粘着層１０２によって前記ベース層１０１に固着される固定層１０３と、を備える。前記導波コア１０は、前記光導波管１００の延在方向に沿って延在する。
【００１０】
図２に示すように、前記光導波管１００は、前記導波コア１０と平行し、対向する前記第１表面１００１と第２表面１００２とを備える。前記ベース層１０１の上表面（図示せず）は、光導波管１００の第１表面１００１と面一になる。前記固定層１０３は、前記ベース層１０１の下表面（図示せず）と一対の側面（図示せず）を被覆する。光導波管１００の第１表面１００１には、一対の第１固定部１０３１が設けられ、第２表面１００２には、第２固定部１０３２が設けられる。前記第１固定部１０３１と第２固定部１０３２とは、前記固定層１０３に一体成形される。図３に示すように、前記一対の第１固定部１０３１が、前記第１表面１００１の両側から、突出寸法Ｈ１で、上向きに突出する。前記一対の第１固定部１０３１の間の距離が、横方向に沿って第１固定寸法Ｔ１である。前記第２固定部１０３２が、凹み寸法Ｈ２で、前記第２表面１００２の両側から凹んでいる。前記第２固定部１０３２の横方向の第２固定寸法は、Ｔ２である。第１固定寸法Ｔ１と第２固定寸法Ｔ２とは、第１固定部１０３１と第２固定部１０３２とが互いに対応するために、実質的に同一であり、小さい製作公差が許される。
【００１１】
図３に示すように、前記一対の第１固定部１０３１の間の第１固定寸法Ｔ１と第２固定部１０３２の第１固定寸法Ｔ２とが対応する。一つの光導波材料から切断される複数の光導波管１００は、互いに重なる。一つの光導波管１００の第２表面１００２が、他の光導波管１００の一対の第１固定部１０３１の間に取り付けられる。
【００１２】
前記突出寸法Ｈ１は、前記凹み寸法Ｈ２より、大きい。これにより、隣接する二つの光導波管１００が重ねられる場合、二つの光導波管１００と間には、ギャップ１０５が形成される。前記ギャップ１０５の間には、外粘着層１０４が設けられる。第１固定部１０３１と第２固定部１０３２との係合によって、二つの光導波管１００は、正確に固定される。
【００１３】
図４に示すように、第２実施形態において、一対の第１固定部１０３１’と第２固定部１０３２’とは、コア１０’を有するベース層１０１’に一体成形される。
【００１４】
第１固定寸法Ｔ１で設けられる一対の第１固定部１０３１、１０３１’と、第２固定寸法Ｔ２で設けられる第２固定部１０３２、１０３２’とを配置することは、複数の導入孔と導入柱とを配置することより容易である。
【００１５】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、何れも本発明の技術的範囲に属するものである。
【符号の説明】
【００１６】
１００  光導波管
１０  （導波）コア
１００１  第１表面
１００２  第２表面
１０１  ベース層
１０２  粘着層
１０３  固定層
１０３１  第１固定部
１０３２  第２固定部
１０４  外粘着層
１０５  ギャップ
１０１’  ベース層
１０３１’  第１固定部
１０３２’  第２固定部
Ｈ１  突出寸法
Ｈ２  凹み寸法
Ｔ１  第１固定寸法
Ｔ２  第２固定寸法
【図１】
0006049312.tif 000002
【図２】
0006049312.tif 000003
【図３】
0006049312.tif 000004
【図４】
0006049312.tif 000005